(57)【要約】【課題】連通口の上方の周縁部において、現像剤収容部から現像部へ現像剤が流入することを確実に抑制できるカートリッジを提供すること。【解決手段】  トナーを収容するトナー収容部５と、現像ローラ２を支持する現像部４７と、現像部４７とトナー収容部５とを連通する連通口４４とを有する現像カートリッジ１において、連通口４４を開放する開位置と、連通口４４を閉鎖する閉位置とに移動する回動部材５１を設け、回動部材５１の回動軸５３よりも上方に位置する上開閉部５５を、連通口４４の上方の周縁部を構成する突出壁４６に、連通口４４の下方の周縁部を構成する下壁３６の連続部分３６Ｄに対する回動軸５３よりも下方に位置する下開閉部５４の接触圧よりも大きな接触圧で接触させる。【選択図】図１
2015087673.tif 000002
【特許請求の範囲】
【請求項１】
筐体と、現像剤を担持するように構成される現像剤担持体とを備え、
前記筐体は、
現像剤を収容する現像剤収容部と、
前記現像剤担持体を支持する現像部と、
前記現像部と前記現像剤収容部とを連通する連通口と、
前記連通口を開放する開位置と、前記連通口を閉鎖する閉位置とに回動するように構成される回動部材と
を備え、
前記回動部材は、
回動軸と、
前記回動部材が閉位置にある状態で、前記回動軸から上方へ延び、前記筐体における前記連通口の上方の周縁部に接触するように構成される第１部分と、
前記回動部材が閉位置にある状態で、前記回動軸から下方へ延び、前記筐体における前記連通口の下方の周縁部に接触するか、または、間隔を隔てて向かい合うように構成される第２部分と
を備え、
前記回動部材が閉位置にある状態で、前記連通口の上方の前記周縁部に対する前記第１部分の接触圧は、前記連通口の下方の前記周縁部に対する前記第２部分の接触圧よりも大きい
ことを特徴とする、カートリッジ。
【請求項２】
前記第２部分は、前記回動部材が閉位置にある状態で、前記連通口の下方の前記周縁部に接触するように構成されている
ことを特徴とする、請求項１に記載のカートリッジ。
【請求項３】
前記連通口の上方の前記周縁部および前記第１部分のうちの一方は、前記連通口の上方の前記周縁部および前記第１部分のうちの他方に接触するように構成される第１弾性部材を有する
ことを特徴とする、請求項１または２に記載のカートリッジ。
【請求項４】
前記第２部分は、前記連通口の下方の前記周縁部に接触するように構成される第２弾性部材を有する
ことを特徴とする、請求項１〜３のいずれか一項に記載のカートリッジ。
【請求項５】
前記回動部材が閉位置にある状態で、前記回動軸から前記第１部分の上端部までの寸法は、前記回動軸から前記第２部分の下端部までの寸法よりも短い
ことを特徴とする、請求項１〜４のいずれか一項に記載のカートリッジ。
【発明の詳細な説明】
【技術分野】
【０００１】
本発明は、電子写真方式が採用される画像形成装置に装着されるカートリッジに関する。
【背景技術】
【０００２】
電子写真方式の画像形成装置として、静電潜像を担持する像担持体と、像担持体上の静電潜像に現像剤を供給する現像カートリッジとを備える画像形成装置が知られている。
【０００３】
このような画像形成装置に装着される現像カートリッジとして、例えば、トナーを収容するトナー収容室と、現像ローラおよび供給ローラを備える現像室と、トナー収容室と現像室との間の開口部を開閉する仕切り部材とを備える現像装置が提案されている（例えば、下記特許文献１参照。）。
【先行技術文献】
【特許文献】
【０００４】
【特許文献１】特開２００８−１７６０１５号公報
【発明の概要】
【発明が解決しようとする課題】
【０００５】
上記の特許文献１に記載の現像装置では、仕切り部材は、回動軸と、回動軸の上側に設けられる上端部と、回動軸の下側に設けられる下端部とを有している。そして、仕切り部材は、開口部を閉鎖するときに、その上端部において開口の上壁に当接し、その下端部において開口の下壁に当接する。
【０００６】
しかし、通常、仕切り部材や開口の上壁および下壁には、所定の寸法誤差が生じるので、開口の上壁に対する仕切り部材の上端部の当接と、開口の下壁に対する仕切り部材の下端部の当接とを、同時に実現することは、困難である。
【０００７】
そこで、本発明の目的は、連通口の上方の周縁部において、現像剤収容部から現像部へ現像剤が流入することを確実に抑制できるカートリッジを提供することにある。
【課題を解決するための手段】
【０００８】
（１）上記した目的を達成するため、本発明のカートリッジは、筐体と、現像剤を担持するように構成される現像剤担持体とを備える。
【０００９】
筐体は、現像剤を収容する現像剤収容部と、現像剤担持体を支持する現像部と、現像部と現像剤収容部とを連通する連通口と、連通口を開放する開位置と、連通口を閉鎖する閉位置とに回動するように構成される回動部材とを備える。
【００１０】
回動部材は、回動軸と、回動部材が閉位置にある状態で、回動軸から上方へ延び、筐体における連通口の上方の周縁部に接触するように構成される第１部分と、回動部材が閉位置にある状態で、回動軸から下方へ延び、筐体における連通口の下方の周縁部に接触するか、または、間隔を隔てて向かい合うように構成される第２部分とを備える。
【００１１】
回動部材が閉位置にある状態で、連通口の上方の周縁部に対する第１部分の接触圧は、連通口の下方の周縁部に対する第２部分の接触圧よりも大きい。
【００１２】
ここで、トナー収容室の下端部内に収容されているトナーは、トナーの自重によって押圧されているので、より上方に収容されているトナーよりも流動性が低く、比較的容易にシールすることができる。一方、トナー収容室の上端部内に収容されているトナーは、より下方に収容されているトナーと比べて流動性が高く、シールすることが困難である。
【００１３】
しかし、このような構成によれば、回動部材は、閉位置にある状態で、連通口の上方の周縁部に対して、連通口の下方の周縁部に対する接触圧よりも大きい接触圧で接触する。
【００１４】
そのため、連通口の上方の周縁部に対して、回動部材の第１部分を確実に接触させることができる。
【００１５】
その結果、連通口の上方の周縁部において、現像剤収容部から現像部へ現像剤が流入することを確実に抑制できる。
（２）第２部分は、回動部材が閉位置にある状態で、連通口の下方の周縁部に接触するように構成されていてもよい。
【００１６】
このような構成によれば、連通口の上方の周縁部に対して、回動部材の第１部分を確実に接触させることができながら、連通口の上方の周縁部に対する第１部分の接触圧よりも小さな接触圧で、回動部材の第２部分を連通口の下方の周縁部に対して接触させることができる。
【００１７】
その結果、連通口の下方の周縁部においても、現像剤収容部から現像部へ現像剤が流入することを確実に抑制できる。
（３）連通口の上方の周縁部および第１部分のうちの一方は、連通口の上方の周縁部および第１部分のうちの他方に接触するように構成される第１弾性部材を有してもよい。
【００１８】
このような構成によれば、第１弾性部材により、現像剤収容部から現像部へ現像剤が流入することをより確実に抑制できる。
（４）第２部分は、連通口の下方の周縁部に接触するように構成される第２弾性部材を有してもよい。
【００１９】
このような構成によれば、第２弾性部材により、連通口の下方の周縁部に対する回動部材の第２部分の接触の衝撃を緩衝することができる。
【００２０】
これにより、第２部分が連通口の下方の周縁部に接触するときの音の発生を低減できる。
（５）回動部材が閉位置にある状態で、回動軸から第１部分の上端部までの寸法は、回動軸から第２部分の下端部までの寸法よりも短くてもよい。
【００２１】
このような構成によれば、第１部分を、連通口の上方の周縁部に対して、連通口の下方の周縁部に対する接触圧よりも確実に大きい接触圧で接触させることができる。
【発明の効果】
【００２２】
本発明のカートリッジによれば、連通口の上方の周縁部において、現像剤収容部から現像部へ現像剤が流入することを確実に抑制できる。
【図面の簡単な説明】
【００２３】
【図１】図１は、本発明のカートリッジの一例としての現像カートリッジの中央断面図である。
【図２】図２は、図１に示す現像カートリッジが装着されるプリンタの中央断面図である。
【図３】図３は、図１に示すベースフレームの右上方から見た斜視図である。
【図４】図４は、図１に示すシャッタの動作を説明する説明図であって、シャッタの揺動部材が閉位置に位置している状態を示す。
【図５】図５は、図１に示すシャッタの動作を説明する説明図であって、シャッタの揺動部材が開位置に位置している状態を示す。
【図６】図６は、現像カートリッジの第１の変形例を説明する説明図である。
【図７】図７は、現像カートリッジの第２の変形例を説明する説明図である。
【図８】図８は、現像カートリッジの第３の変形例を説明する説明図である。
【発明を実施するための形態】
【００２４】
１．現像カートリッジの概略
図１に示すように、カートリッジの一例としての現像カートリッジ１は、現像剤担持体の一例としての現像ローラ２と、供給ローラ３と、層厚規制ブレード４と、現像剤収容部の一例としてのトナー収容部５とを備えている。
【００２５】
なお、以下の説明において、現像カートリッジ１の方向に言及するときには、現像カートリッジ１を水平に載置した状態を上下の基準とする。すなわち、図１の紙面上方が上方であり、紙面下方が下方である。また、図１の紙面左方が前方であり、図１の紙面右方が後方である。また、現像カートリッジ１を前方から見たときを左右の基準とする。すなわち、図１の紙面手前が右方であり、紙面奥が左方である。
【００２６】
現像ローラ２は、現像カートリッジ１の後端部に回転可能に支持されている。
【００２７】
供給ローラ３は、現像ローラ２の前下方に配置されている。供給ローラ３は、現像カートリッジ１に回転可能に支持されている。供給ローラ３は、現像ローラ２の前下端部に接触している。
【００２８】
層厚規制ブレード４は、現像ローラ２の前上方に配置されている。層厚規制ブレード４は、現像ローラ２の前端部に接触している。
【００２９】
トナー収容部５は、供給ローラ３の前方に配置されている。トナー収容部５は、現像剤の一例としてのトナーを収容するように構成されている。トナー収容部５は、アジテータ６を備えている。
【００３０】
アジテータ６は、トナー収容部５内に回転可能に支持されている。
２．現像カートリッジの使用態様
図２に示すように、現像カートリッジ１は、画像形成装置１１に装着されて使用される。
【００３１】
画像形成装置１１は、電子写真方式のモノクロプリンタである。画像形成装置１１は、装置本体１２と、プロセスカートリッジ１３と、スキャナユニット１４と、定着ユニット１５とを備えている。
【００３２】
装置本体１２は、略ボックス形状に形成されている。装置本体１２は、開口部１６と、トップカバー１７と、給紙トレイ１８と、排紙トレイ１９とを有している。
【００３３】
開口部１６は、装置本体１２の前上端部に配置されている。開口部１６は、プロセスカートリッジ１３の通過を許容するように、装置本体１２の内外を前上方と後下方とを結ぶ方向に連通している。
【００３４】
トップカバー１７は、装置本体１２の上端部に配置されている。トップカバー１７は、前後方向に延びる略平板形状を有している。トップカバー１７は、その後端部を支点として装置本体１２の後壁の上端部に揺動可能に支持されている。トップカバー１７は、開口部１６を開放または閉鎖する。
【００３５】
給紙トレイ１８は、装置本体１２の底部に配置されている。給紙トレイ１８は、用紙Ｐが載置されるように構成されている。
【００３６】
排紙トレイ１９は、トップカバー１７の後半分に配置されている。排紙トレイ１９は、用紙Ｐが載置されるように、トップカバー１７の上面から下方へ凹んでいる。
【００３７】
プロセスカートリッジ１３は、装置本体１２の上下方向略中央に配置されている。プロセスカートリッジ１３は、開口部１６を介して装置本体１２に対して装着または離脱するように構成されている。プロセスカートリッジ１３は、ドラムカートリッジ２０と、現像カートリッジ１とを備えている。
【００３８】
ドラムカートリッジ２０は、感光ドラム２１と、スコロトロン型帯電器２２と、転写ローラ２３とを備えている。
【００３９】
感光ドラム２１は、ドラムカートリッジ２０の後端部に回転可能に支持されている。
【００４０】
スコロトロン型帯電器２２は、感光ドラム２１の上方において、感光ドラム２１と間隔を隔てて配置されている。
【００４１】
転写ローラ２３は、感光ドラム２１の後方に配置されている。転写ローラ２３は、感光ドラム２１の後端部と接触している。
【００４２】
現像カートリッジ１は、感光ドラム２１の前下方において、現像ローラ２が感光ドラム２１の前下端部に接触するように、ドラムカートリッジ２０に装着されている。現像カートリッジ１は、ドラムカートリッジ２０に対して装着または離脱可能である。
【００４３】
スキャナユニット１４は、装置本体１２の前端部内において、プロセスカートリッジ１３の前方に配置されている。スキャナユニット１４は、感光ドラム２１に向けて画像データに基づくレーザービームＬを出射するように構成されている。
【００４４】
定着ユニット１５は、プロセスカートリッジ１３の上方に配置されている。定着ユニット１５は、加熱ローラ２４と、加熱ローラ２４の後上端部に圧接される加圧ローラ２５とを備えている。
【００４５】
画像形成装置１１が画像形成動作を開始すると、スコロトロン型帯電器２２は、感光ドラム２１の表面を一様に帯電する。スキャナユニット１４は、感光ドラム２１の表面を露光する。これにより、画像データに基づく静電潜像が、感光ドラム２１の表面に形成される。
【００４６】
また、アジテータ６は、トナー収容部５内のトナーを撹拌して、供給ローラ３に供給する。供給ローラ３は、アジテータ６によって供給されたトナーを現像ローラ２に供給する。このとき、トナーは、現像ローラ２と供給ローラ３との間で正極性に摩擦帯電され、現像ローラ２に担持される。層厚規制ブレード４は、現像ローラ２に担持されたトナーの層厚を一定厚さに規制する。
【００４７】
そして、現像ローラ２に担持されたトナーは、感光ドラム２１表面の静電潜像に供給される。これにより、トナー像が、感光ドラム２１の表面に担持される。
【００４８】
用紙Ｐは、給紙トレイ１８から、各種ローラの回転により、所定のタイミングで１枚ずつ、感光ドラム２１と転写ローラ２３との間に給紙される。感光ドラム２１表面のトナー像は、用紙Ｐが感光ドラム２１と転写ローラ２３との間を通過するときに、用紙Ｐに転写される。
【００４９】
その後、用紙Ｐは、加熱ローラ２４と加圧ローラ２５との間を通過するときに加熱および加圧される。これにより、用紙Ｐ上のトナー像は、用紙Ｐに熱定着される。その後、用紙Ｐは、排紙トレイ１９に排紙される。
３．現像カートリッジの詳細
図１および図３に示すように、現像カートリッジ１は、筐体の一例としての現像フレーム３１を備えている。
【００５０】
現像フレーム３１は、左右方向に延びる略ボックス形状を有している。現像フレーム３１は、上記した現像ローラ２、供給ローラ３、層厚規制ブレード４およびアジテータ６を支持している。現像フレーム３１は、ベースフレーム３２と、カバーフレーム３３と、シャッタ３４とを備えている。
（１）ベースフレーム
ベースフレーム３２は、図３に示すように、上端部および後端部が開放された有底枠形状を有している。ベースフレーム３２は、１対の側壁３５と、下壁３６と、前壁３７とを備えている。
【００５１】
１対の側壁３５のそれぞれは、ベースフレーム３２の左右方向両端部のそれぞれに配置されている。１対の側壁３５のそれぞれは、前後方向に延びる側面視略矩形の略平板形状を有している。
【００５２】
下壁３６は、ベースフレーム３２の下端部に配置されている。下壁３６の左右方向両端部のそれぞれは、１対の側壁３５のそれぞれの下端部に連続している。下壁３６は、第１部分３６Ａと、第２部分３６Ｂと、第３部分３６Ｃとを備えている。
【００５３】
第１部分３６Ａは、下壁３６の前半分に配置されている。第１部分３６Ａは、断面視略円弧形状を有している。第１部分３６Ａの前後方向略中央は、下方へ凹んでいる。
【００５４】
第２部分３６Ｂは、第１部分３６Ａの後方に配置されている。第２部分３６Ｂは、断面視略円弧形状を有している。第２部分３６Ｂは、第１部分３６Ａの後端部に連続して、供給ローラ３の外周面に沿って湾曲するように後方へ延びている。
【００５５】
第３部分３６Ｃは、第２部分３６Ｂの後方において、現像ローラ２の下方に配置されている。第３部分３６Ｃは、断面視略直線形状を有している。第３部分３６Ｃは、第２部分３６Ｂの後端部に連続して、後方に向かって延びている。
【００５６】
前壁３７は、ベースフレーム３２の前端部に配置されている。前壁３７は、下壁３６の前端部に連続して上方へ延びる略平板形状を有している。前壁３７の左右両端部のそれぞれは、１対の側壁３５のそれぞれの前端部に連続している。
（２）カバーフレーム
カバーフレーム３３は、図１に示すように、ベースフレーム３２の上方に配置されている。カバーフレーム３３は、左右方向に延びる平面視略矩形の平板形状を有している。カバーフレーム３３は、膨出部４０と、突出壁４６とを備えている。
【００５７】
膨出部４０は、カバーフレーム３３の前半分に配置されている。膨出部４０は、カバーフレーム３３の上面から上方へ膨出する略筒形状を有している。膨出部４０は、上端部が閉鎖され、下端部が開放されている。
【００５８】
突出壁４６は、カバーフレーム３３の後半分において、下壁３６の第１部分３６Ａと第２部分３６Ｂとの連続部分３６Ｄの上方に間隔を隔てて配置されている。突出壁４６は、カバーフレーム３３の下面から下方へ突出する略平板形状を有している。
【００５９】
突出壁４６と、下壁３６の連続部分３６Ｄとの間が連通口４４である。すなわち、突出壁４６の下端部４６Ａは、連通口４４の上方の周縁部の一例であり、下壁３６の連続部分３６Ｄは、連通口４４の下方の周縁部の一例である。現像フレーム３１において、連通口４４よりも前方に配置される部分が、トナー収容部５である。また、現像フレーム３１において、連通口４４よりも後方に配置される部分が現像部４７である。すなわち、現像部４７は、現像ローラ２、供給ローラ３および層厚規制ブレード４を支持している。
（３）シャッタの開閉に関する構成
シャッタ３４は、図１および図３に示すように、供給ローラ３の前上方に配置されている。なお、以下のシャッタ３４の説明では、図１に示す状態を基準として説明する。シャッタ３４は、回動部材の一例としての回動部材５１と、コイルばね５２とを備えている。
【００６０】
回動部材５１は、左右方向に延びる略平板形状を有している。回動部材５１は、連通口４４を閉鎖するように上下方向に延びる閉位置（図１参照）と、連通口４４を開放するように前後方向に延びる開位置（図５参照）とに揺動可能である。回動部材５１は、回動軸５３と、第２部分の一例としての下開閉部５４と、第１部分の一例としての上開閉部５５と、当接部５６とを備えている。
【００６１】
回動軸５３は、回動部材５１の上下方向略中央に配置されている。回動軸５３は、左右方向に延びる略円柱形状を有している。回動軸５３の左右方向両端部のそれぞれは、供給ローラ３の上方において、１対の側壁３５のそれぞれに揺動可能に支持されている。
【００６２】
下開閉部５４は、回動軸５３の前下端部から連続して前下方へ向かって突出し、左右方向に延びている。下開閉部５４は、正面視略矩形の平板形状を有している。下開閉部５４の前下端部は、供給ローラ３の周面に沿うように、前下方へ向かうにつれて下方へわずかに湾曲している。下開閉部５４の前下端部は、回動部材５１が閉位置に位置している状態で、下壁３６の連続部分３６Ｄに対してわずかに間隔を隔てている。下開閉部５４は、第２弾性部材の一例としてのフィルム部材５７を備えている。
【００６３】
フィルム部材５７は、下開閉部５４の前下端部に支持されている。フィルム部材５７は、左右方向に延びる略矩形の平板形状を有している。フィルム部材５７は、ポリエチレンテレフタレート（ＰＥＴ）などの可撓性を有する材料からなるフィルムである。フィルム部材５７の後上端部は、下開閉部５４の前下端部の後面に固定されている。フィルム部材５７の前下端部は、下開閉部５４の前下端部よりも前下方に突出し、下壁３６の連続部分３６Ｄに撓みながら接触している。
【００６４】
上開閉部５５は、回動軸５３の上端部から連続して上方へ向かって突出し、左右方向に延びている。上開閉部５５は、正面視略矩形の平板形状を有している。上開閉部５５の上端部５５Ａは、突出壁４６の下端部４６Ａに接触している。回動軸５３の中心軸線Ａ１と上開閉部５５の上端部５５Ａとの距離Ｄ１は、回動軸５３の中心軸線Ａ１とフィルム部材５７の前下端部５７Ａとの距離Ｄ２よりも短い。また、回動軸５３の中心軸線Ａ１と上開閉部５５の上端部５５Ａとを結ぶ直線Ｌ１と、回動軸５３の中心軸線Ａ１とフィルム部材５７の前下端部５７Ａとを結ぶ直線Ｌ２とが形成する角度θ１は、回動軸５３の中心軸線Ａ１と突出壁４６の下端部４６Ａとを結ぶ直線Ｌ３と、回動軸５３の中心軸線Ａ１と下壁３６の連続部分３６Ｄとを結ぶ直線Ｌ４とが形成する角度θ２よりも小さい。
【００６５】
当接部５６は、回動部材５１の左端部に配置されている。当接部５６は、下開閉部５４の前面から前方へ突出する略角柱形状を有している。
【００６６】
コイルばね５２は、回動軸５３の左端部に巻回されている。コイルばね５２の一方の端部は、左方の側壁３５に係止されている。コイルばね５２の他方の端部は、回動部材５１の第１開閉部に係止されている。これにより、コイルばね５２は、回動部材５１を、常に閉位置へ向かうように右側面視反時計回りに付勢している。
【００６７】
アジテータ６は、シャッタ３４の前方に配置されている。アジテータ６は、アジテータ軸６１と、カム部材６３と、撹拌羽根６２とを備えている。
【００６８】
アジテータ軸６１は、左右方向に延びる略角柱形状を有している。アジテータ軸６１の左右方向両端部のそれぞれは、１対の側壁３５のそれぞれの前端部に回転可能に支持されている。
【００６９】
カム部材６３は、アジテータ軸６１の左端部に相対回転不能に支持されている。カム部材６３は、シャッタ３４の当接部５６の前方に向かい合っている。カム部材６３は、左右方向に厚みを有する略平板形状を有している。カム部材６３は、大径部６３Ａと、小径部６３Ｂと、変位部６３Ｃとを備えている。
【００７０】
大径部６３Ａは、アジテータ軸６１の回転軸線Ａ２を中心として、中心角が略９０°の側面視略扇形状を有している。大径部６３Ａの半径Ｒ１は、大径部６３Ａの周方向全体にわたって同じである。大径部６３Ａの半径Ｒ１は、回動部材５１が閉位置に位置している状態における当接部５６の前端部とアジテータ軸６１の回転軸線Ａ２との距離Ｄよりも長い。これにより、シャッタ３４の当接部５６と当接可能である。
【００７１】
小径部６３Ｂは、大径部６３Ａの右側面視時計回り方向下流に連続して配置されている。小径部６３Ｂは、アジテータ軸６１の回転軸線Ａ２を中心として、中心角が略６０°の側面視略扇形状を有している。小径部６３Ｂの半径Ｒ２は、大径部６３Ａの半径Ｒ１よりも小さく、小径部６３Ｂの周方向全体にわたって同じである。小径部６３Ｂの半径Ｒ１は、回動部材５１が閉位置に位置している状態における当接部５６の前端部とアジテータ軸６１の回転軸線Ａ２との距離Ｄよりも短い。すなわち、小径部６３Ｂは、シャッタ３４の当接部５６と係合不能である。
【００７２】
変位部６３Ｃは、小径部６３Ｂの右側面視時計回り方向下流に連続して配置され、その右側面視時計回り方向下流端部において、大径部６３Ａの右側面視時計回り方向上流端部に連続している。変位部６３Ｃは、アジテータ軸６１の回転軸線Ａ２と異なる中心を有する側面視略半円形状を有している。すなわち、アジテータ軸６１の回転軸線Ａ２は、変位部６３Ｃの中心に対して偏心している。変位部６３Ｃの周面とアジテータ軸６１の回転軸線Ａ２との距離は、右側面視時計回り方向に向かうにつれて徐々に小さくなっている。変位部６３Ｃの右側面視時計回り方向上流端部の周面とアジテータ軸６１の回転軸線Ａ２との距離Ｒ３は、大径部６３Ａの半径Ｒ１と同じである。また、変位部６３Ｃの右側面視時計回り方向下流端部の周面とアジテータ軸６１の回転軸線Ａ２との距離Ｒ４は、小径部６３Ｂの半径Ｒ２と同じである。すなわち、変位部６３Ｃは、右側面視時計回り方向上流端部においてシャッタ３４の当接部５６と係合可能であり、右側面視時計回り方向下流端部においてシャッタ３４の当接部５６と係合不能である。
【００７３】
撹拌羽根６２は、左右方向に延びる略平板形状を有している。撹拌羽根６２は、ポリエチレンテレフタレート（ＰＥＴ）などの可撓性を有する材料からなるフィルムである。撹拌羽根６２は、側面視においてカム部材６３の小径部６３Ｂに重なるように、その一端部においてアジテータ軸６１に固定されている。撹拌羽根６２の他端部、すなわち遊端部は、ベースフレーム３２の下方内面に接触するように、アジテータ軸６１の回転軸線Ａ２と直交する方向において、カム部材６３よりも外方へ延びている。
（４）シャッタの開閉動作
次に、シャッタ３４の動作について説明する。
【００７４】
現像カートリッジ１は、図２および図４に示すように、その後端部が後上方へ向かうように傾斜して画像形成装置１１に装着される。また、図４に示すように、現像カートリッジ１に駆動力が入力される前において、シャッタ３４の回動部材５１は、閉位置に位置している。
【００７５】
そして、上記した画像形成動作において、現像カートリッジ１に駆動力が入力されると、アジテータ軸６１は、右側面視反時計回りに回転する。これにより、カム部材６３は、アジテータ軸６１の回転軸線Ａ２を中心として右側面視反時計回りに回転する。なお、以下の説明において、右側面視反時計回り方向を回転方向Ｒと記載する。
【００７６】
すると、カム部材６３の大径部６３Ａの回転方向Ｒの下流端部が、シャッタ３４の当接部５６に対して下方から当接し、当接部５６を上方に向かって押圧する。
【００７７】
これにより、回動部材５１は、コイルばね５２の付勢力に抗して、閉位置から開位置へ右側面視時計回りに回動する。
【００７８】
次いで、さらにアジテータ６が回転すると、回動部材５１は、シャッタ３４の当接部５６とカム部材６３の大径部６３Ａとの当接により、開位置に維持される。
【００７９】
このとき、撹拌羽根６２は、トナー収容部５内のトナーを、連通口４４を介して現像部４７に向けて供給する。
【００８０】
次いで、さらにアジテータ６が回転すると、図５に示すように、撹拌羽根６２が、シャッタ３４の当接部５６とカム部材６３の大径部６３Ａとの当接が解除されるタイミングで、回動部材５１の下開閉部５４に対して下方から当接される。これにより、回動部材５１は、撹拌羽根６２によって開位置に維持される。また、このとき、カム部材６３の変位部６３Ｃの回転方向Ｒの下流端部は、シャッタ３４の当接部５６の下方に位置している。
【００８１】
次いで、さらにアジテータ６が回転すると、撹拌羽根６２が撓みながら下開閉部５４の前方を通過するとともに、カム部材６３の変位部６３Ｃの回転方向Ｒの下流端部が、シャッタ３４の当接部５６に対して下方から当接する。
【００８２】
そして、さらにアジテータ６が回転すると、回動部材５１は、コイルばね５２の付勢力によって、当接部５６が変位部６３Ｃの周面に沿うように、開位置から閉位置に向かって右側面視反時計回りに連続して徐々に回動し、図４に示すように、閉位置へ戻る。
【００８３】
このとき、回動部材５１は、アジテータ６によって現像部４７に向けて搬送されたトナーを、供給ローラ３および現像ローラ２に向かってさらに搬送する。
【００８４】
また、このとき、回動部材５１は、上開閉部５５の上端部５５Ａにおいて突出壁４６に接触し、フィルム部材５７の前下端部において、下壁３６の連続部分３６Ｄに撓みながら接触する。
【００８５】
フィルム部材５７が撓むことにより、下壁３６の連続部分３６Ｄに対するフィルム部材５７の接触圧は、突出壁４６に対する上開閉部５５の接触圧よりも小さくなる。すなわち、突出壁４６に対する上開閉部５５の接触圧は、下壁３６の連続部分３６Ｄに対するフィルム部材５７の接触圧よりも大きくなる。
【００８６】
これにより、回動部材５１は、上開閉部５５において確実に突出壁４６に接触されて、確実に閉位置に位置する。
４．現像カートリッジに外乱が作用した場合のシャッタの作用
現像カートリッジ１が未使用の場合には、図１に示すように、シャッタ３４の回動部材５１は、閉位置に位置している。また、トナー収容部５は、図１に破線で示す位置まで、トナーＴを収容している。
【００８７】
このとき、トナー収容部５の下端部内に収容されているトナー、より詳しくは、閉位置に位置する回動部材５１の下端部近傍に収容されているトナーは、トナー全量の自重によって押圧されており、それよりも上方に収容されているトナーと比べて押し固められている。
【００８８】
そのため、トナー収容部５の下端部内に収容されているトナーは、ほとんど空気を含んでおらず、流動性が低い。一方、トナー収容部５の上端部内に収容されているトナーは、比較的多くの空気を含んでおり、流動性が高い。
【００８９】
そして、現像カートリッジ１を運搬中に、現像カートリッジ１に揺れや衝撃などの外乱が作用した場合には、より上方に収容されている比較的流動性が高いトナーが流動する。
【００９０】
このとき、回動部材５１は、上記したように、上開閉部５５の上端部５５Ａにおいて突出壁４６に接触し、フィルム部材５７の前下端部において、下壁３６の連続部分３６Ｄに撓みながら接触している。
【００９１】
つまり、回動部材５１は、上開閉部５５において、下壁３６の連続部分３６Ｄに対するフィルム部材５７の接触圧よりも大きな接触圧で、突出壁４６に押し付けられている。
【００９２】
これにより、トナー収容部５内のトナーが上開閉部５５と突出壁４６との間を通過して現像部４７へ流入することが、抑制されている。
【００９３】
なお、現像カートリッジ１が装着された状態で本体ケーシング１２を搬送する場合にも、現像カートリッジ１のみを搬送する場合と同様に、現像カートリッジ１からトナーが漏れることを抑制できる。
５．作用効果
（１）この現像カートリッジ１によれば、図１に示すように、回動部材５１は、上開閉部５５の上端部５５Ａにおいて突出壁４６に接触し、フィルム部材５７の前下端部において、下壁３６の連続部分３６Ｄに撓みながら接触する。
【００９４】
つまり、回動部材５１は、閉位置にある状態で、突出壁４６に対して、下壁３６の連続部分３６Ｄに対する接触圧よりも大きい接触圧で接触する。
【００９５】
そのため、突出壁４６に対して、回動部材５１の上開閉部５５を確実に接触させることができる。
【００９６】
その結果、上開閉部５５において、トナー収容部５から現像部４７へトナーが流入することを確実に抑制できる。
（２）この現像カートリッジ１によれば、図１に示すように、回動部材５１の下開閉部５４は、回動部材５１が閉位置にある状態で、下壁３６の連続部分３６Ｄに接触するフィルム部材５７を有している。
【００９７】
そのため、突出壁４６に対して、回動部材５１の上開閉部５５を確実に接触させることができながら、突出壁４６に対する上開閉部５５の接触圧よりも小さな接触圧で、下開閉部５４を下壁３６の連続部分３６Ｄに対して接触させることができる。
【００９８】
その結果、下開閉部５４においても、トナー収容部５から現像部４７へトナーが流入することを確実に抑制できる。
（３）この現像カートリッジ１によれば、図１に示すように、フィルム部材５７を撓ませることにより、下壁３６の連続部分３６Ｄに対する回動部材５１の下開閉部５４の接触の衝撃を緩衝することができる。
（４）この現像カートリッジ１によれば、図１に示すように、回動軸５３の中心軸線Ａ１と上開閉部５５の上端部５５Ａとの距離Ｄ１は、回動軸５３の中心軸線Ａ１とフィルム部材５７の前下端部５７Ａとの距離Ｄ２よりも短い。
【００９９】
そのため、上開閉部５５を、突出壁４６に対して、下壁３６の連続部分３６Ｄに対する下開閉部５４の接触圧よりも確実に大きい接触圧で接触させることができる。
６．変形例
（１）第１の変形例
上記した実施形態では、回動部材５１の下開閉部５４は、フィルム部材５７を有しており、フィルム部材５７によって下壁３６の連続部分３６Ｄに接触している。
【０１００】
対して、第１の変形例では、図６に示すように、回動部材５１の下開閉部５４は、フィルム部材５７を有さなくてもよい。この場合、下開閉部５４は、下壁３６の連続部分３６Ｄに接触せず、間隔を隔てて向かい合っている。すなわち、下壁３６の連続部分３６Ｄに対する下開閉部５４の接触圧は、０である。
【０１０１】
第１の変形例においても、上記した実施形態と同様の作用効果を得ることができる。
（２）第２の変形例
第２の変形例では、図７に示すように、回動部材５１の上開閉部５５は、第１弾性部材の一例としてのシール部材５８を有してもよい。シール部材５８は、例えば、樹脂製のスポンジからなり、上開閉部５５と突出壁４６との間で圧縮される。この場合、突出壁４６に対するシール部材５８の接触圧は、下壁３６の連続部分３６Ｄに対するフィルム部材５７の接触圧よりも大きい。
【０１０２】
第２の変形例によれば、シール部材５８により、トナー収容部５から現像部４７へトナーが流入することをより確実に抑制できる。
【０１０３】
また、第２の変形例においても、上記した実施形態と同様の作用効果を得ることができる。
【０１０４】
なお、シール部材５８は、突出壁４６に設けることもできる。
【０１０５】
また、シール部材５８は、ゴムなどの弾性材料から形成することもできる。
（３）第３の変形例
上記した第１の変形例および第２の変形例は、組み合わせることができる。
【０１０６】
すなわち、第３の変形例では、回動部材５１の上開閉部５５は、ゴムからなるシール部材５８を有し、回動部材５１の下開閉部５４は、フィルム部材５７を有さない。
【０１０７】
第３の変形例においても、上記した実施形態と同様の作用効果を得ることができる。
（４）その他の変形例
上記した現像ローラ２は、現像剤担持体の一例であるが、現像剤担持体には、現像ローラ２の他、現像スリーブ、現像ベルト、ブラシ状のローラなどが含まれる。
【０１０８】
また、上記したフィルム部材５７は、第２弾性部材の一例であるが、第２弾性部材には、フィルム部材５７の他、ゴムやスポンジからなる板状の部材などが含まれる。
【符号の説明】
【０１０９】
１      現像カートリッジ
２      現像ローラ
５      トナー収容部
３１    現像フレーム
３６Ｄ  連続部分
４４    連通口
４６    突出壁
４７    現像部
５１    回動部材
５３    回動軸
５４    下開閉部
５５    上開閉部
５７    フィルム部材
５８    シール部材
Ｄ１    距離
Ｄ２    距離
【図１】
2015087673.tif 000003
【図２】
2015087673.tif 000004
【図３】
2015087673.tif 000005
【図４】
2015087673.tif 000006
【図５】
2015087673.tif 000007
【図６】
2015087673.tif 000008
【図７】
2015087673.tif 000009
【図８】
2015087673.tif 000010